(57)【要約】【課題】顔肌への炭酸混合化粧水の噴射の開閉と、炭酸ガスの噴出調整とを、使用者が鏡で顔を常時見たままで、軽快に操作できる装置を提供する。【解決手段】炭酸混合化粧水を噴出するノズル３１を有するスプレー本体Ｓに、レバー形式の操作部３０を設けて、可撓性ホースＰからの炭酸ガスによる炭酸混合化粧水の噴射を開閉する。炭酸ガス供給用ボンベＢを収納する直立型ボンベ収納ボックスＸに、その外方で回転操作可能な円形調整用摘子１７を設け、可撓性ホースＰへの炭酸ガスの噴出調整をする。使用者は、鏡で顔を常時見たままで、一方の手先でスプレー本体Ｓを保持して操作部３０を開閉操作し、ノズル３１からの炭酸混合化粧水を顔肌に噴射し、他方の手先で円形調整用摘子１７を噴出調整操作し、炭酸ガスの流量ないし圧力を希望する値に設定する。【選択図】図２
2015037608.tif 000002
【特許請求の範囲】
【請求項１】
（ａ）炭酸ガスを導く可撓性ホース（Ｐ）と、
（ｂ）スプレー本体（Ｓ）であって、
（ｂ１）可撓性ホース（Ｐ）の一端部に接続され、
（ｂ２）噴出ノズル（３１）と、
（ｂ３）所定量の化粧水を収納するカップ（２９）と、
（ｂ４）スプレー本体（Ｓ）を保持した手先（Ｈ）で操作される操作部（３０）であって、この操作によって、可撓性ホース（Ｐ）からの炭酸ガスを開閉する操作部（３０）とを備え、
（ｂ５）操作部（３０）の操作によって開いている状態で、可撓性ホース（Ｐ）から導かれた炭酸ガスを噴出ノズル（３１）から噴出させてカップ（２９）内の化粧水とともに、炭酸混合化粧水を霧状に噴射するスプレー本体（Ｓ）と、
（ｃ）炭酸ガス供給用ボンベ（Ｂ）と、
（ｄ）取替え可能に炭酸ガス供給用ボンベ（Ｂ）を収納する直立型ボンベ収納ボックス（Ｘ）と、
（ｅ）前記ボンベ収納ボックス（Ｘ）の外方から回転操作可能である調整用摘子（１７）と、
（ｆ）前記炭酸ガス供給用ボンベ（Ｂ）からの炭酸ガス流通路を形成する弁杆（１５）と、
（ｇ）弁杆（１５）にバネ力を与えるバネ（１６）とを含み、
（ｈ）前記炭酸ガス供給用ボンベ（Ｂ）の軸線と、調整用摘子（１７）の回転軸線と、弁杆（１５）の軸線と、バネ（１６）の軸線と、ボンベ収納ボックス（Ｘ）の軸線とが、一直線上にあるように設けられ、
（ｉ）調整用摘子（１７）の操作によって、バネ（１６）のバネ力が作用している弁杆（１５）を変位させて、炭酸ガス供給用ボンベ（Ｂ）からの噴出ガスを導くガス流通路を介する炭酸ガスの噴出調整をし、可撓性ホース（Ｐ）の他端部に、この噴出調整された炭酸ガスが供給されることを特徴とする美顔器。
【請求項２】
（ａ）炭酸ガスを導く可撓性ホース（Ｐ）と、
（ｂ）スプレー本体（Ｓ）であって、
（ｂ１）可撓性ホース（Ｐ）の一端部に接続され、
（ｂ２）噴出ノズル（３１）と、
（ｂ３）所定量の化粧水を収納するカップ（２９）と、
（ｂ４）スプレー本体（Ｓ）を保持した手先（Ｈ）で操作される操作部（３０）であって、この操作によって、可撓性ホース（Ｐ）からの炭酸ガスを開閉する操作部（３０）とを備え、
（ｂ５）操作部（３０）の操作によって開いている状態で、可撓性ホース（Ｐ）から導かれた炭酸ガスを噴出ノズル（３１）から噴出させてカップ（２９）内の化粧水とともに、炭酸混合化粧水を霧状に噴射するスプレー本体（Ｓ）と、
（ｃ）炭酸ガス供給用ボンベ（Ｂ）と、
（ｄ）着脱自在である上側筒体（１）および下側筒体（２）からなり、取替え可能に炭酸ガス供給用ボンベ（Ｂ）を隠蔽して収納する直立型ボンベ収納ボックス（Ｘ）と、
（ｅ）前記ボンベ収納ボックス（Ｘ）の外方から回転操作可能である調整用摘子（１７）と、
（ｆ）前記炭酸ガス供給用ボンベ（Ｂ）からの炭酸ガス流通路に臨む弁杆（１５）と、
（ｇ）弁杆（１５）にバネ力を与えるバネ（１６）とを含み、
（ｈ）前記炭酸ガス供給用ボンベ（Ｂ）の軸線と、調整用摘子（１７）の回転軸線と、弁杆（１５）の軸線と、バネ（１６）の軸線と、ボンベ収納ボックス（Ｘ）の軸線とが、一直線上にあるように設けられ、
（ｉ）調整用摘子（１７）の操作によって、バネ（１６）のバネ力が作用している弁杆（１５）を変位させて、炭酸ガス供給用ボンベ（Ｂ）からの噴出ガスを導くガス流通路を介する炭酸ガスの噴出調整をし、可撓性ホース（Ｐ）の他端部に、この噴出調整された炭酸ガスが供給されることを特徴とする美顔器。
【請求項３】
調整用摘子（１７）は、ボンベ収納ボックス（Ｘ）に配置されることを特徴とする請求項１または２に記載の美顔器。
【請求項４】
調整用摘子（１７）は、
一方向および反対方向に水平回転可能な円形であり、
ボンベ収納ボックス（Ｘ）の上方で操作可能であることを特徴とする請求項３記載の美顔器。
【請求項５】
ボンベ収納ボックス（Ｘ）は、直立型であり、その軸直角断面が円形であり、
円形調整用摘子（１７）の外径は、ボンベ収納ボックス（Ｘ）の上部面（１ｂ）の外径とほぼ等しいことを特徴とする請求項４に記載の美顔器。
【請求項６】
ボンベ収納ボックス（Ｘ）の上部面（１ｂ）よりも下方で、かつ炭酸ガス供給用ボンベ（Ｂ）よりも上方で、ボンベ収納ボックス（Ｘ）内で、調整用摘子（１７）の操作による炭酸ガスの噴出調整をし、
ボンベ収納ボックス（Ｘ）の上部面（１ｂ）よりも下方で、かつ炭酸ガス供給用ボンベ（Ｂ）よりも上方で、前記噴出調整された炭酸ガスは、ボンベ収納ボックス（Ｘ）外へ、可撓性ホース（Ｐ）の前記他端部から供給されることを特徴とする請求項４または５に記載の美顔器。
【請求項７】
調整用摘子（１７）の操作によって、炭酸ガス供給用ボンベ（Ｂ）からの前記ガス流通路を介する炭酸ガスの噴出、停止もすることを特徴とする請求項１〜６のうちの１つに記載の美顔器。
【請求項８】
操作部（３０）は、レバー形式であり、
スプレー本体（Ｓ）は、操作部（３０）の引き付け操作によって開いている状態とすることを特徴とする請求項１〜７のうちの１つに記載の美顔器。
【請求項９】
操作部（３０）は、押ボタン形式であり、
スプレー本体（Ｓ）は、操作部（３０）の操作によって開いている状態とすることを特徴とする請求項１〜７のうちの１つに記載の美顔器。
【発明の詳細な説明】
【技術分野】
【０００１】
本発明は化粧水と炭酸ガスとの混合液を顔肌等に噴霧状に吹き付ける美顔器に関する。
【背景技術】
【０００２】
近時、遊離炭酸を含有する炭酸泉に入浴すると、炭酸泉内の炭酸成分が皮膚下の毛細血管に作用してこの毛細血管を拡張させ、これにより入浴者の血行が改善されて入浴者の疲労回復や健康増進が図れることは、既に広く知られている。
そこで、この炭酸成分が皮膚下の毛細血管に作用してこの毛細血管を拡張させる効能を利用して、化粧水と共に混合液を顔肌等に吹き付けると共に、皮脂や汚れ等の残骸物を顔肌から遊離させて取り除き、より若々しく美しい顔肌を指向する。
一般的な美顔器として、例えば下記技術文献１及び２が存在する。これらは、単にスチーム噴射、更には顔肌に吸引パットを添わせて顔肌の残骸物をハード的に除去させるものであり、顔肌へのソフト的な癒しは考慮されておらず、却って顔肌等を傷めることも否定できなかった。
更に技術文献３が存在するが、これは単に炭酸ガス供給用ボンベをスプレー本体に直接取付け、即ち一体化したものに過ぎない。特に、この技術文献３を含め他の文献についても炭酸ガス供給用ボンベが露呈しており、使用者にとっては炭酸ガスを充満したボンベと言うことから違和感、不安感を抱き、敬遠される傾向にある。技術文献４は炭酸ガスと化粧水との混合液をボンベに充満した所謂、エアゾールに過ぎない。
【０００３】
そこでこれらの多くの技術文献の下、本願発明者が発明者の一翼を担って技術文献５に示す如く、美顔器の製品化に結び付く発明が成された。
その後、本願発明者が更なる技術開発に傾注し、より実用に即した製品の具現化を探求することとした。
【先行技術文献】
【特許文献】
【０００４】
【特許文献１】実用新案出願公告昭６３−４８２６５号
【特許文献２】特開２０００−１９７５１９号
【特許文献３】特開平５−２３８９２８号
【特許文献４】特開２００３−５４６６２号
【特許文献５】実用新案登録第３１３６４６５号
【発明の概要】
【発明が解決しようとする課題】
【０００５】
本発明は、炭酸混合化粧水を生成する炭酸ガス供給用ボンベが使用時において直接目に触れない様にし、不必要な違和感、不安感を払拭し、且つボンベからの炭酸ガス噴出調整もボンベを直視することなく軽快に操作できることとした。
【課題を解決するための手段】
【０００６】
本発明は、
（ａ）炭酸ガスを導く可撓性ホース（Ｐ）と、
（ｂ）スプレー本体（Ｓ）であって、
（ｂ１）可撓性ホース（Ｐ）の一端部に接続され、
（ｂ２）噴出ノズル（３１）と、
（ｂ３）所定量の化粧水を収納するカップ（２９）と、
（ｂ４）スプレー本体（Ｓ）を保持した手先（Ｈ）で操作される操作部（３０）であって、この操作によって、可撓性ホース（Ｐ）からの炭酸ガスを開閉する操作部（３０）とを備え、
（ｂ５）操作部（３０）の操作によって開いている状態で、可撓性ホース（Ｐ）から導かれた炭酸ガスを噴出ノズル（３１）から噴出させてカップ（２９）内の化粧水とともに、炭酸混合化粧水を霧状に噴射するスプレー本体（Ｓ）と、
（ｃ）炭酸ガス供給用ボンベ（Ｂ）と、
（ｄ）取替え可能に炭酸ガス供給用ボンベ（Ｂ）を収納する直立型ボンベ収納ボックス（Ｘ）と、
（ｅ）前記ボンベ収納ボックス（Ｘ）の外方から回転操作可能である調整用摘子（１７）と、
（ｆ）前記炭酸ガス供給用ボンベ（Ｂ）からの炭酸ガス流通路を形成する弁杆（１５）と、
（ｇ）弁杆（１５）にバネ力を与えるバネ（１６）とを含み、
（ｈ）前記炭酸ガス供給用ボンベ（Ｂ）の軸線と、調整用摘子（１７）の回転軸線と、弁杆（１５）の軸線と、バネ（１６）の軸線と、ボンベ収納ボックス（Ｘ）の軸線とが、一直線上にあるように設けられ、
（ｉ）調整用摘子（１７）の操作によって、バネ（１６）のバネ力が作用している弁杆（１５）を変位させて、炭酸ガス供給用ボンベ（Ｂ）からの噴出ガスを導くガス流通路を介する炭酸ガスの噴出調整をし、可撓性ホース（Ｐ）の他端部に、この噴出調整された炭酸ガスが供給されることを特徴とする美顔器である。
【０００７】
本発明は、
（ａ）炭酸ガスを導く可撓性ホース（Ｐ）と、
（ｂ）スプレー本体（Ｓ）であって、
（ｂ１）可撓性ホース（Ｐ）の一端部に接続され、
（ｂ２）噴出ノズル（３１）と、
（ｂ３）所定量の化粧水を収納するカップ（２９）と、
（ｂ４）スプレー本体（Ｓ）を保持した手先（Ｈ）で操作される操作部（３０）であって、この操作によって、可撓性ホース（Ｐ）からの炭酸ガスを開閉する操作部（３０）とを備え、
（ｂ５）操作部（３０）の操作によって開いている状態で、可撓性ホース（Ｐ）から導かれた炭酸ガスを噴出ノズル（３１）から噴出させてカップ（２９）内の化粧水とともに、炭酸混合化粧水を霧状に噴射するスプレー本体（Ｓ）と、
（ｃ）炭酸ガス供給用ボンベ（Ｂ）と、
（ｄ）着脱自在である上側筒体（１）および下側筒体（２）からなり、取替え可能に炭酸ガス供給用ボンベ（Ｂ）を隠蔽して収納する直立型ボンベ収納ボックス（Ｘ）と、
（ｅ）前記ボンベ収納ボックス（Ｘ）の外方から回転操作可能である調整用摘子（１７）と、
（ｆ）前記炭酸ガス供給用ボンベ（Ｂ）からの炭酸ガス流通路に臨む弁杆（１５）と、
（ｇ）弁杆（１５）にバネ力を与えるバネ（１６）とを含み、
（ｈ）前記炭酸ガス供給用ボンベ（Ｂ）の軸線と、調整用摘子（１７）の回転軸線と、弁杆（１５）の軸線と、バネ（１６）の軸線と、ボンベ収納ボックス（Ｘ）の軸線とが、一直線上にあるように設けられ、
（ｉ）調整用摘子（１７）の操作によって、バネ（１６）のバネ力が作用している弁杆（１５）を変位させて、炭酸ガス供給用ボンベ（Ｂ）からの噴出ガスを導くガス流通路を介する炭酸ガスの噴出調整をし、可撓性ホース（Ｐ）の他端部に、この噴出調整された炭酸ガスが供給されることを特徴とする美顔器である。
【０００８】
本発明は、調整用摘子１７は、ボンベ収納ボックスＸに配置されることを特徴とする。
【０００９】
本発明は、調整用摘子１７は、一方向および反対方向に水平回転可能な円形であり、ボンベ収納ボックスＸの上方で操作可能であることを特徴とする。 
【００１０】
本発明は、ボンベ収納ボックスＸは、直立型であり、その軸直角断面が円形であり、円形調整用摘子１７の外径は、ボンベ収納ボックスＸの上部面１ｂの外径とほぼ等しいことを特徴とする。 
【００１１】
本発明は、ボンベ収納ボックスＸの上部面１ｂよりも下方で、かつ炭酸ガス供給用ボンベＢよりも上方で、ボンベ収納ボックスＸ内で、円形調整用摘子１７の回転によって、炭酸ガス供給用ボンベＢからの前記ガス流通路を介する炭酸ガスの噴出調整をし、
ボンベ収納ボックスＸの上部面１ｂよりも下方で、かつ炭酸ガス供給用ボンベＢよりも上方で、前記噴出調整された炭酸ガスは、ボンベ収納ボックスＸ外へ、可撓性ホースＰから供給されることを特徴とする。
【００１２】
本発明は、円形調整用摘子１７の操作によって、炭酸ガス供給用ボンベＢからの前記ガス流通路を介する炭酸ガスの噴出、停止もすることを特徴とする。
【００１３】
本発明は、操作部３０は、レバー形式であり、
スプレー本体Ｓは、操作部３０の引き付け操作によって開いている状態とすることを特徴とする。 
【００１４】
本発明は、操作部３０は、押ボタン形式であり、
スプレー本体Ｓは、操作部３０の操作によって開いている状態とすることを特徴とする。
【発明の効果】
【００１５】
本発明により、直立型ボンベ収納ボックスＸに炭酸ガス供給用ボンベＢが取替え可能に収納され、その外方で調整用摘子１７の回転操作によりガス噴出を調整できる。
炭酸混合化粧水を生成する炭酸ガス供給用ボンベＢからの炭酸ガス噴出調整を、そのボンベＢを直視することなく、調整用摘子を回転させることにより、軽快に行える。操作部３０は、スプレー本体Ｓに設けられ、スプレー本体Ｓを保持した手先Ｈで操作され、可撓性ホースＰからの炭酸ガスを、操作部３０の操作によって開閉する。
また、図４に明らかに示されるように、前記炭酸ガス供給用ボンベＢの軸線と、調整用摘子１７の回転軸線と、弁杆１５の軸線と、バネ１６の軸線と、ボンベ収納ボックスＸの軸線とが、一直線上にあるように設けられる。したがって、調整用摘子１７による炭酸ガスの噴出制御を、簡単な操作で、かつ確実に行うことができるという利点がある。
さらに、前記各軸線が一直線上にあるように設けることによって、直立型ボンベ収納ボックスと相俟って、デザイン的にも優れたものとすることができる。
【図面の簡単な説明】
【００１６】
【図１】美顔器の使用状態を示す斜視図
【図２】美顔器の全体斜視図
【図３】美顔器の一部断面図
【図４】同上の部分拡大断面図
【図５】同上の拡大部分断面図
【図６】同上の動作状態を示す拡大部分断面図
【図７】美顔器の部分斜視図
【図８】同上の異なる実施形態を示す部分斜視図
【図９】スプレー本体の断面図
【図１０】同上の部分拡大断面図
【図１１】同上の動作状態を示す拡大部分断面図
【図１２】同上の部品の分解斜視図
【発明を実施するための形態】
【００１７】
以下本発明を実施形態の図面に基づいて説明する。図１は美顔器の使用状態を示す斜視図であって、使用者が手先Ｈにてスプレー本体Ｓの握手部Ｓａを保持している。図２は、美顔器全体を示す斜視図であって、下広状のスカート状に形成した直立型ボンベ収納ボックスＸを上下側筒体１、２にて構成しており、スプレー本体Ｓがボンベ収納ボックスＸの側面Ｘａに着脱自在に装着されている。更に図３、４は、上側筒体１に装填された炭酸ガス供給用ボンベＢの食出し部Ｂａを下側筒体２に収納した状態を示している。
【００１８】
而して、具体的には炭酸ガス供給用ボンベＢの上端噴出口頭部３に形成されたネジ４を上側筒体１のソケット部５のネジ孔６に捻じ込む。
このソケット部５は上側筒体１の内筒７に装備されており、内筒７は上側筒体１の下開口１ａより挿入されて両者１、７の抜止段部８、９にて圧入装備され、一体化される。
従って、炭酸ガス供給用ボンベＢの上端噴出口頭部３は隠蔽されて外部に触れない状態で、該炭酸ガス供給用ボンベＢが装填される。
ソケット部５のネジ孔６には炭酸ガス供給用ボンベＢの上端噴出口頭部３の上部に対峙してノズル部１０が螺着されている。
【００１９】
このノズル部１０は、図４、５に示す如く、噴出用管１１を備えており、この噴出用管１１が炭酸ガス供給用ボンベＢを捻じ込んだ際、その噴出口頭部３の封印膜３ａに貫通し、炭酸ガス供給用ボンベからの噴出ガスを噴出用管１１、内孔１２、ノズル孔１３に亘ってガス流通路を形成する。
またノズル部１０の底部には噴出口頭部３の封印膜３ａに圧着してガス漏れ防止パッキン１４が備えられている。
ノズル部１０の内孔１２には上下動する弁杆１５を挿通しており、常にバネ１６にて上方向に弾圧されている。即ち弁杆１５は、ガス流通路に臨む。而して、図５、６に示す如く、この弁杆１５の上下動によってノズル孔１３の開閉を行う。
【００２０】
上側筒体１の上部面１ｂには炭酸ガス噴出調整用の円形調整用摘子１７が位置しており、該円形調整用摘子１７の内側面１７ｂからは押圧杆１８が垂下しており、その下端１８ａがバネ１９にて弁杆１５の上端１５ａに弾圧しており、且つそのバネ力は弁杆１５のバ
ネ１６の力より勝っている。即ち弁杆１５は下方の噴出用管１１の側にバネ１６に抗して弾圧されており、バネ１６のバネ力が作用している。
而して、押圧杆１８と共に円形調整用摘子１７も常に下方向に引張られている。
【００２１】
円形調整用摘子１７の内側面１７ｂと上側筒体１の上部面１ｂとには夫々互に嵌合するラチェット２０、２１が設けてあり、円形調整用摘子１７の一方向の回転、即ち時計方向の回転に対しては一定回転数にて緊締し、且つこれと反対方向、即ち反時計方向での、一定回転数以降両ラチェット２０、２１が空転することとしている。
【００２２】
具体的には、円形調整用摘子１７の内側面１７ｂにはボス２２を設けており、その外周に数条の凸状スパイラル２３が形成されている。また、上側筒体１の上部面１ｂにはこれに噛合する凹状スパイラル２４が形成されていて、円形調整用摘子１７の一定以上の回転により凸状スパイラル２３が上側筒体１の凹状スパイラル２４から遊離することとなり、且つその状態から反対方向に回転させることによって、再度噛合することとなる。
【００２３】
図３に示す如く、炭酸ガス供給用ボンベＢは食出し部Ｂａを下側筒体２に収納されており、その下側筒体２は有底としているので上開口２ａより挿入された炭酸ガス供給用ボンベＢは底部２ｂにて覆われる。
また、下側筒体２は下広状のスカート状面２ｃとなっているから、より安定して直立できる。
また、本発明の美顔器においては、図４に明らかに示されるように、前記炭酸ガス供給用ボンベＢの軸線と、調整用摘子１７の回転軸線と、弁杆１５の軸線と、バネ１６の軸線と、ボンベ収納ボックスＸの軸線とが、一直線上にあるように設けられる。
【００２４】
図７はスプレー本体Ｓをボンベ収納ボックスＸの側面Ｘａの側面に着脱自在に引掛ける差込引掛部Ｚの具体例を示し、握手部Ｓａが差込まれるホルダー部２５ａ及び上側筒体１の上部で、而も調整用摘子１７の直下の溝２６に巻付くリング部２５ｂとを金属板にて一体的に形成したフック体２５としている。
勿論、図８に示す如く、フック体２５を断面丸型金属体にて一体的に形成し、上側筒体１の下開口１ａと下側筒体２の上開口２ａとの間にて挟着してもよい。
【００２５】
而して図９は、スプレー本体Ｓの具体例を示し、握手部Ｓａと直行する筒部２７を内蔵配置している。この筒部２７は導管２８を主として成している。
導管２８の前方位置には所定量の化粧水Ｗを収納するカップ２９を導管２８の内孔２８ａに連通したネジ孔２８ｂに着脱自在にねじ込み取付装備している。この化粧水Ｗとしては、例えば一般化粧剤にゲルマニウム粒子を混合させれば、炭酸成分の保湿性と美白効果が一層強まり、美容目的、即ちソフト的効能が一層好適となる。
【００２６】
このカップ２９はキャップと導管２８にねじ込まれる下端の滴下口２９ａとより成っている。また、導管２８の先端には噴出ノズル３１が設けられている。スプレー本体Ｓの導管２８から握手部Ｓａを通った可撓性ホースＰがノズル部１０のノズル孔１３に接続されている。勿論、この可撓性ホースＰは必要に応じた長さに設定する。
また、この握手部Ｓａには操作部３０が装備されており、この操作部３０を操作することにより、導管２８の内孔２８ａを開閉するシャッター板３２を上下にスライドさせる。
【００２７】
具体的には、操作部３０を反転レバー形式として、軸３３にて反転自在に支持し、リンク３４の一方ピン３４ａを操作部３０に軸結合し、他方ピン３４ｂをシャッター板３２のリング３５に軸結合している。勿論、この操作部３０を押ボタン形式にすることも可能である。
操作部３０には、常に操作部３０を矢印ｃ、シャッター板３２を矢印ｄと反対方向にバネ力を付勢している。
【００２８】
このシャッター板３２は、化粧水収納カップ２９と炭酸ガス供給用パイプＰの引込口３６との間に位置し、操作部３０の引き付けによりリンク３４、３５を介して縦溝３７を下方向にスライドし、シャッター板３２の小孔３２ａと導管２８の内孔２８ａとが合致し炭酸ガスの流入を可能とする。
導管２８の内孔２８ａには、化粧水収納カップ２９の滴下口２９ａに逆止弁３８が装備されており、炭酸ガスが化粧水収納カップ２９側に流入するのを防止し、適正な炭酸成分の混合化粧水が得られる。この逆止弁３８としては薄膜の合成樹脂にて成型する。
【００２９】
また、導管２８の先端噴出ノズル３１はパッキン３９を介在してカップリング４０を螺着してシールドする。
更に、噴出ノズル３１には顔肌に添わせる吸引パット４１を適宜装着する。
勿論、この吸引パット４１を使用せずして直接肌面に噴霧混合化粧水を吹き付けてもよい。
【００３０】
次に本発明美顔器の使用順序を説明すると、スプレー本体Ｓの使用動作は先の本願発明者が発明者の一翼を担った技術文献５に示す内容とほぼ同内容であり、従って、炭酸ガス供給用ボンベＢの装填、取替え及び炭酸ガス噴出の調整について説明する。
図４は炭酸ガス供給用ボンベＢが装填された状態を示している。この状態は、炭酸ガス供給用ボンベＢの噴出口頭部３が上側筒体１のソケット部５に捻じ込まれており、ソケット部５の噴出用管１１が炭酸ガス供給用ボンベＢの封印膜３ａを貫通している。
【００３１】
而してノズル部１０の弁杆１５は下方向に下降しており、内孔１２とノズル孔１３との間は遮断されている。
従って、この状態に於いてスプレー本体Ｓを操作しても、炭酸ガスが噴出供給されていないからスプレー本体Ｓから炭酸混合化粧水は霧状に噴出することはない。
勿論、この状態は円形調整用摘子１７が時計方向に回転しており、円形調整用摘子１７の凸状スパイラル２３が上側筒体１の凹状スパイラル２４に噛合緊締し、且つ円形調整用摘子１７の押圧杆１８は下降し、その状態は維持されているから、図５に示す如くバネ１６に抗して弁杆１５を下方向に弾圧下降状態に維持されており、ガス漏れはない。
【００３２】
続いて、スプレー本体Ｓを使用し、炭酸混合化粧水を霧状に噴出するに当たっては、上記状態より円形調整用摘子１７を反時計方向に回転させる。
円形調整用摘子１７の一定以上に回転すると、円形調整用摘子１７の凸状スパイラル２３が上側筒体１の凹状スパイラル２４より遊離し、以降両ラチェット２０、２１が空転する。
而して、図６の夫々の矢印に示す如く円形調整用摘子１７の押圧杆１８はバネ１９に抗して上昇する。この押圧杆１８の弾圧開放により、バネ１６のバネ力が作用している弁杆１５はバネ１６にて上昇して、維持される。
【００３３】
弁杆１５の上昇にて、噴出用管１１、内孔１２、ノズル部１０のノズル孔１３に亘ってガス流通路が形成される。
この状態に於いて、スプレー本体Ｓを操作すれば、炭酸ガスと化粧水収納カップ２９からの炭酸ガスとが混合し、所望の炭酸混合化粧水をスプレー本体Ｓの噴出ノズル３１から霧状に噴出させることとなる。
【００３４】
次にスプレー本体Ｓからの炭酸混合化粧水の噴出を停止、即ちスプレー本体Ｓの使用を終了する場合は、円形調整用摘子１７を時計方向に回転し、円形調整用摘子１７の凸状スパイラル２３を上側筒体１の凹状スパイラル２４に噛合緊締させると共に押圧杆１８を下降させる。
これにより図５に示す如くバネ１６に抗して、バネ１６のバネ力が作用している弁杆１５は下方向に弾圧下降し、ノズル部１０のノズル孔１３と噴出用管１１とのガス流路を遮断し、ガス供給は断たれる。
勿論、この状態でこの状態に於いてスプレー本体Ｓを操作してもスプレー本体Ｓからは炭酸混合化粧水が噴出することはない。
尚、ガス消耗による炭酸ガス供給用ボンベＢの取替えは、先ず炭酸ガス供給用ボンベＢの食出し部Ｂａを保持して回転させ、ソケット部５から取り外す。
【００３５】
次にガス充満の炭酸ガス供給用ボンベＢを装填する場合は、炭酸ガス供給用ボンベＢの上端噴出口頭部３を上側筒体１のソケット部５に捻じ込む。
而してソケット部５の噴出用管１１が噴出口頭部３の封印膜３ａに貫通し、炭酸ガス供給用ボンベＢからの噴出ガスは噴出用管１１、内孔１２、ノズル孔１３に亘ってガス流通路を形成し、炭酸ガス供給用ボンベＢの装填を完了することとなる。
【００３６】
本発明は美顔器としているが、勿論他の腕、足、身体の肌面への炭酸混合化粧水を噴射することも出来るのである。
【００３７】
本発明は、次の実施の形態が可能である。
（１）所定量の化粧水を収納するカップ及びこのカップから滴下された化粧水を引き込む導管、並びに導管内において前記滴下化粧水と炭酸ガスとを混合させて炭酸混合化粧水を霧状に噴出させる先端噴出ノズルとでスプレー本体を構成し、この炭酸ガス供給用ボンベと前記スプレー本体とを可撓性ホースにて接続し、而も該炭酸ガス噴出を調整用摘子にて調整できる様にした美顔器に於いて、前記炭酸ガス供給用ボンベの上端噴出口頭部を隠蔽し、且つ下端が一定長さ食み出す下開口の上側筒体、及びこの上側筒体の上部に装着されると共に、水平回転により前記噴出口頭部と連結されたノズル部の弁杆を上下動させて炭酸ガス噴出を調整する円形調整用摘子、並びに前記上側筒体の下端開口縁より食み出した炭酸ガス供給用ボンベの該食出し部を収納すると共に、前記上側筒体の下開口縁と着脱自在に嵌合する上開口で、而も底部が着座する下側筒体とで構成された直立型ボンベ収納ボックスと、更に前記スプレー本体とノズル部とを接続する可撓性ホースとで成したことを特徴とする美顔器。
【００３８】
（１ａ）炭酸ガス供給用ボンベの上端噴出口頭部を隠蔽し、且つ下端が一定長さ食み出す下開口の上側筒体、及びこの上側筒体の上部に装着されると共に、水平回転によりノズル部の弁杆を上下動させて炭酸ガス噴出を調整する円形調整用摘子、並びに前記上側筒体の下端開口縁より食み出した炭酸ガス供給用ボンベの該食出し部を収納すると共に、前記上側筒体の下開口縁と着脱自在に嵌合する上開口で、而も底部が着座する下側筒体とで構成された直立型ボンベ収納ボックスと、更に前記スプレー本体とノズル部とを接続する可撓性ホースとで成したことを特徴とする美顔器。
この実施の形態により、上側筒体にて炭酸ガス供給用ボンベの上端の噴出口頭部は隠蔽されて外部に触れることなく、その上部の円形調整用摘子の回転によりガス噴出を調整できる。
【００３９】
また、炭酸ガス供給用ボンベの下部は上側筒体の下端開口縁より一部が食み出しており、この食出し部をボンベの取替時、工具等で保持すると共に回転操作させてボンベの取替えを行うことができる。
勿論、その食出し部は上側筒体を下側筒体に嵌合させることにより該下側筒体に収納されているので外部に触れることはない。
【００４０】
更にこの下側筒体は底部が着座することで上側筒体とで直立型ボンベ収納ボックスを構成され、美顔器としてより感性を高めることができる。
（１ｂ）所定量の化粧水をカップに収納し、且つ炭酸ガス供給用ボンベから可撓性ホースを介して導かれた炭酸ガスをスプレー本体の先端噴出ノズルから噴出させて前記カップ内の化粧水と共に、炭酸混合化粧水を霧状に噴射する様にした美顔器に於いて、前記炭酸ガス供給用ボンベの上端噴出口頭部を隠蔽し、且つ下端が一定長さ食み出す下開口の上側筒体、及びこの上側筒体に装着されると共に、回転により前記噴出口頭部と連結されたノズル部の弁杆を連動させて炭酸ガス噴出を調整する円形調整用摘子、並びに前記上側筒体の下端開口縁より食み出した炭酸ガス供給用ボンベの該食出し部を収納すると共に、前記上側筒体の下開口縁と着脱自在に嵌合する上開口で、而も底部が着座する下側筒体とで構成された直立型ボンベ収納ボックスと、更に前記スプレー本体とノズル部とを接続する可撓性ホースとで成したことを特徴とする美顔器。
【００４１】
（２）ボンベ収納ボックスの下側筒体を有底で、而も下広状のスカート形に形成したことを特徴とする。
この実施の形態により、下側筒体は有底のため、炭酸ガス供給用ボンベは全体が隠蔽される。
また、下側筒体は下広状のスカート状に形成されているので、より安定して直立できる。
【００４２】
（３）ボンベ収納ボックスの側面にスプレー本体を着脱自在に差込引掛ける引掛部を設けたことを特徴とする。
この実施の形態により、ボンベ収納ボックスの側面にスプレー本体を引掛装着して一体化することにより、無造作にスプレー本体が放置されず、ガス供給用ホース、ノズル部等への異常な外力が加わることを防ぎ、常に正常に使用できる。
【００４３】
（４）引掛部を、スプレー本体が差込まれるホルダー部及び上側筒体の上部で、而も調整用摘子の直下に巻付くリング部とを金属板にて一体的に形成したフック体としたことを特徴とする。
この実施の形態により、スプレー本体を引掛けるフック体を金属板にて一体的に形成してそのリング部を上側筒体に巻付けたから、下側筒体と一体的に合成樹脂にて成型する場合、複雑な金型となるが、それらに比し安価である。
【００４４】
（５）引掛部を、スプレー本体が差込まれるホルダー部及び上側筒体と下側筒体との夫々の嵌合する開口縁間に介在するリング部とを断面丸型金属体にて一体的に形成したフック体としたことを特徴とする。
この実施の形態により、フック体は断面丸型金属体（パイプ、丸棒）にて形成されているから、スプレー本体の着脱時に傷が付かず、また使用者に対しても同様であり、且つフック体は上下側筒体の開口縁間にて挟持され、特殊な手段を要しない。
【００４５】
（６）円形調整用摘子に押圧杆を垂下装備し、円形調整用摘子の一方向への水平回転により該押圧杆をバネ力に抗して下降させると共に、ノズル部内孔の弁杆を連動下降させてノズル孔を閉塞し、且つ円形調整用摘子の逆方向への水平回転により該押圧杆をバネ力にて上昇させると共に、弁杆を連動上昇させてノズル孔を開口し、炭酸ガス供給用ボンベの噴出口頭部に差込まれた噴出用信管からの噴出ガスを前記ノズル部内孔からノズル孔に亘って流通可能としたことを特徴とする。
この実施の形態により、炭酸混合化粧水を生成する炭酸ガス供給用ボンベが使用時において直接目に触れないのは勿論、ボンベからの炭酸ガス噴出調整もボンベを直視することなく直立型ボンベ収納ボックスの上部に装備された円形調整用摘子を水平回転させることにより、炭酸ガスの噴出、停止、更には噴出調整が軽快に行える。
【００４６】
（７）炭酸ガス供給用ボンベの上端の噴出口頭部を上側筒体の下開口より該上側筒体のソケット部に捻じ込むことによって、該ソケット部に備えられた噴出用管が噴出口頭部の封印膜に貫通し、炭酸ガス供給用ボンベからの噴出ガスを噴出用管、弁杆の内孔、ノズル孔に亘って流通可能としたことを特徴とする。
この実施の形態により、炭酸ガス供給用ボンベの装填は、単に上側筒体のソケットに捻じ込めば、ソケット部に備えられた噴出用信管がボンベの封印膜に貫通し、ガスはノズル部に亘って流通可能となり、また新規なボンベと取替える際は、逆にボンベを回転させてソケット部から簡単に外すことができる。
【００４７】
（８）上側筒体の上部面とこれに対面する円形調整用摘子の内側面とに夫々互に嵌合するラチェットを設けると共に、一方向の回転に対しては一定回転数にて緊締して炭酸ガス供給用ボンベからのガス供給を停止し、且つ反対方向の回転に対しては一定回転数以降両者のラチェットが空転してガス供給を維持する様にしたことを特徴とする。
この実施の形態により、円形調整用摘子を一方向に回転すれば、一定回転数にて停止し、その感覚にて緊締完了を確認できると共に、炭酸ガス供給用ボンベからのガス供給を停止させることができ、且つ逆に反対方向に回転すれば一定以上の緩みに対しラチェットが空転してガス供給を維持することができ、この状態にてガス噴出が無ければボンベ内の炭酸ガスの消耗を確認でき、使用者に不必要な不安感を与えることがない。
【００４８】
（９）（ａ）炭酸ガスを導く可撓性ホース（Ｐ）と、
（ｂ）スプレー本体（Ｓ）であって、
（ｂ１）可撓性ホース（Ｐ）の一端部に接続され、
（ｂ２）噴出ノズル（３１）と、
（ｂ３）所定量の化粧水を収納するカップ（２９）と、
（ｂ４）スプレー本体（Ｓ）を保持した手先（Ｈ）で操作される操作部（３０）であって、この操作によって、可撓性ホース（Ｐ）からの炭酸ガスを開閉する操作部（３０）とを備え、
（ｂ５）操作部（３０）の操作によって開いている状態で、可撓性ホース（Ｐ）から導かれた炭酸ガスを噴出ノズル（３１）から噴出させてカップ（２９）内の化粧水とともに、炭酸混合化粧水を霧状に噴射するスプレー本体（Ｓ）と、
（ｃ）炭酸ガス供給用ボンベ（Ｂ）と、
（ｄ）着脱自在に嵌合する上側筒体（１）および下側筒体（２）からなり、取替え可能に炭酸ガス供給用ボンベ（Ｂ）を隠蔽して収納する直立型ボンベ収納ボックス（Ｘ）と、
（ｅ）前記ボンベ収納ボックス（Ｘ）の外方から回転操作可能である調整用摘子（１７）と、
（ｆ）前記炭酸ガス供給用ボンベ（Ｂ）からの炭酸ガス流通路に臨む弁杆（１５）と、
（ｇ）弁杆（１５）にバネ力を与えるバネ（１６）とを含み、
（ｈ）調整用摘子（１７）の操作によって、バネ（１６）のバネ力が作用している弁杆（１５）を変位させて、炭酸ガス供給用ボンベ（Ｂ）からの噴出ガスを導くガス流通路を介する炭酸ガスの噴出調整をし、可撓性ホース（Ｐ）の他端部に、この噴出調整された炭酸ガスが供給されることを特徴とする美顔器。
【００４９】
（１０）（ａ）炭酸ガス供給用ボンベ（Ｂ）の封印膜（３ａ）を貫通する噴出用管（１１）を有するソケット部５を装備した下開口の上側筒体（１）に、前記炭酸ガス供給用ボンベ（Ｂ）を捻じ込んで前記炭酸ガスの封印膜（３ａ）を貫通させ、
（ｂ）炭酸ガス供給用ボンベ（Ｂ）の食み出し部を、上開口であって前記上側筒体（１）の開口部に着脱自在に嵌合する下側筒体（２）に収納し、前記上側筒体の開口部と嵌合させて、前記炭酸ガス供給用ボンベ（Ｂ）を前記上側筒体（１）と下側筒体（２）からなる直立型ボンベ収納ボックス（Ｘ）に隠蔽、収納し、
（ｃ）前記上側筒体（１）の外部に設けられた調整用摘子（１７）を回転操作して、前記炭酸ガスの噴出量を調整し、
（ｄ）前記上側筒体（１）と可撓性ホース（Ｐ）を介して接続され、化粧水を収納するカップ（２９）を具備するスプレー本体（Ｓ）の操作部（３０）を操作して、スプレー本体（Ｓ）を開閉し、
（ｅ）前記カップ（２９）の化粧水を炭酸ガスとの混合物として噴霧することを特徴とする炭酸混合化粧水の噴霧方法。
【００５０】
（１１）（ａ）美顔器を準備するステップであって、
この美顔器は、
（ａ１）炭酸ガスを導く可撓性ホース（Ｐ）と、
（ａ２）スプレー本体（Ｓ）であって、
（ａ２―１）可撓性ホース（Ｐ）の一端部に接続され、
（ａ２―２）噴出ノズル（３１）と、
（ａ２―３）所定量の化粧水を収納するカップ（２９）と、
（ａ２―４）スプレー本体（Ｓ）を保持した手先（Ｈ）で操作される操作部（３０）であって、この操作によって、可撓性ホース（Ｐ）からの炭酸ガスを開閉する操作部（３０）とを備え、
（ａ２―５）操作部（３０）の操作によって開いている状態で、可撓性ホース（Ｐ）から導かれた炭酸ガスを噴出ノズル（３１）から噴出させてカップ（２９）内の化粧水とともに、炭酸混合化粧水を霧状に噴射するスプレー本体（Ｓ）と、
（ａ３）炭酸ガス供給用ボンベ（Ｂ）と、
（ａ４）着脱自在である上側筒体（１）および下側筒体（２）を含み、取替え可能に炭酸ガス供給用ボンベ（Ｂ）を隠蔽して収納する直立型ボンベ収納ボックス（Ｘ）と、
（ａ５）ボンベ収納ボックス（Ｘ）の外方から回転操作可能である調整用摘子（１７）と、
（ａ６）炭酸ガス供給用ボンベ（Ｂ）からの炭酸ガス流通路に臨む弁杆（１５）と、
（ａ７）弁杆（１５）にバネ力を与えるバネ（１６）とを含み、
（ａ８）調整用摘子（１７）の操作によって、バネ（１６）のバネ力が作用している弁杆（１５）を変位させて、炭酸ガス供給用ボンベ（Ｂ）からの噴出ガスを導くガス流通路を介する炭酸ガスの噴出調整をし、可撓性ホース（Ｐ）の他端部に、この噴出調整された炭酸ガスが供給され、
（ａ９）上側筒体（１）は、下開口であり、ソケット部５を装備し、
（ａ１０）このソケット部５は、炭酸ガス供給用ボンベ（Ｂ）を捻じ込むことによって、炭酸ガス供給用ボンベ（Ｂ）の封印膜（３ａ）を貫通する噴出用管（１１）を有し、前記捻じ込んだ状態で炭酸ガス供給用ボンベ（Ｂ）は、上側筒体（１）からの食み出し部を有し、
（ａ１１）下側筒体（２）は、上開口である美顔器を準備するステップと、
（ｂ）上側筒体（１）に装備されるソケット部（５）に炭酸ガス供給用ボンベ（Ｂ）を捻じ込んで、噴出用管（１１）によって封印膜（３ａ）を貫通させるステップと、
（ｃ）炭酸ガス供給用ボンベ（Ｂ）の食み出し部を下側筒体（２）に収納して、上側筒体（１）の開口部に下側筒体（２）の開口部を装着し、炭酸ガス供給用ボンベ（Ｂ）を、直立型ボンベ収納ボックス（Ｘ）に隠蔽、収納するステップと、
（ｄ）調整用摘子（１７）を回転操作して、炭酸ガスの噴出量を調整するステップと、
（ｅ）スプレー本体（Ｓ）の操作部（３０）を操作して、スプレー本体（Ｓ）を開閉するステップと、
（ｆ）カップ（２９）の化粧水と炭酸ガスとが混合された炭酸混合化粧水を霧状に肌面へ噴射するステップとを含むことを特徴とする炭酸混合化粧水の噴霧方法。
【符号の説明】
【００５１】
Ｈ 使用者の手先
Ｂ 炭酸ガス供給用ボンベ
Ｂａ ボンベ食出し部
Ｘ 収納ボックス
Ｓ スプレー本体
Ｐ 可撓性ホース
１ 上側筒体
２ 下側筒体
３ 噴出口頭部
５ ソケット部
１０ ノズル部
１１ 噴出用管
１２ 内孔
１３ ノズル孔
１５ 弁杆
１７ 円形調整用摘子
１８ 押圧杆
２０ ラチェット
２１ ラチェット
２３ 凸状スパイラル
２４ 凹状スパイラル
Ｚ 引掛部
２８ 導管
２９ カップ
３１ 噴出ノズル
【図１】
2015037608.tif 000003
【図２】
2015037608.tif 000004
【図３】
2015037608.tif 000005
【図４】
2015037608.tif 000006
【図５】
2015037608.tif 000007
【図６】
2015037608.tif 000008
【図７】
2015037608.tif 000009
【図８】
2015037608.tif 000010
【図９】
2015037608.tif 000011
【図１０】
2015037608.tif 000012
【図１１】
2015037608.tif 000013
【図１２】
2015037608.tif 000014